(57)【要約】【課題】画像入力の途中からゴミ傷処理を開始する事が出来るようにする。【解決手段】フィルムスキャナーのゴミ傷検出に於いて、赤外画像から閾値を求める時に、大面積からの閾値と小面積からの閾値の両方から判定閾値を求める。大画面とは主走査全幅に渡る領域で、この領域を逐次拡張しながら閾値を決定する。【選択図】      図１
2006303880.tif 000002
【特許請求の範囲】
【請求項１】
赤外光を用いて、フィルムのゴミ傷を検出するものに於いて、赤外光の画像からゴミ傷を判定するに当たって、一方向に関してほぼ全幅に相当する大面積の領域内の分布と、各小部分領域内の分布の両方から、各小部分の判定レベルを決定することを特徴とするフィルムスキャナーのゴミ検出装置。
【請求項２】
請求項１記載のフィルムスキャナーのゴミ検出装置において、大面積とは中心に小部分を含んだ領域を意味することを特徴とするフィルムスキャナーのゴミ検出装置。
【請求項３】
請求項１記載のフィルムスキャナーのゴミ検出装置において、大面積とは小部分を主走査方向に１段分以上加えた領域を意味することを特徴とするフィルムスキャナーのゴミ検出装置。
【請求項４】
請求項３記載のフィルムスキャナーのゴミ検出装置において、大面積とは小部分を主走査方向に１段分以上積算した領域を意味することを特徴とするフィルムスキャナーのゴミ検出装置。
【発明の詳細な説明】
【技術分野】
【０００１】
本発明は、フィルムのゴミ傷を検出して、フィルム上の画像情報に補正を行う目的で、赤外画像からゴミ傷を検出するためのフィルムスキャナーのゴミ検出装置に関するものである。
【背景技術】
【０００２】
従来、フィルムのゴミ傷を検出するためには、赤外光による撮像を行い、その赤外画像からゴミ傷の判定レベルを計算し、ゴミ傷と判定された箇所の可視画像情報を非ゴミ傷と判断された周辺の画像情報から補間を行っていた。
【０００３】
この判定のためには、赤外画像のレベル分布を計算し、ゴミ傷による異常と思われるレベル分布を判断し、その区別レベルからゴミ傷を判定していた（例えば、特許文献１，２参照）。
【特許文献１】特開２０００−３４１４７３号公報
【特許文献２】特開２００１−０７５１９７号公報
【発明の開示】
【発明が解決しようとする課題】
【０００４】
レベル分布から閾値を決定する場合、正常画像による分布を区別できるレベルを決定する必要がある。但し、修正可能なゴミ傷の画像は比較的小部分の面積しか存在しない特色を生かすことが必要である。また、ほぼ平坦な画像に於いては、ゴミ傷検知を高感度にして、目立つ傷を補完しなくては成らない。
【０００５】
加えて、全画像の入力がすべて終わってから閾値決定を行うことは、画像入力に必要な時間が存在する以上、補間作業を開始できるまでの時間を多く必要となり、部分的な画像入力で、部分的な閾値が決定できる場合に比べ処理時間が多くかかる問題が在った。
【０００６】
本発明は、以上の点に着目して成されたもので、複数の領域の分布状況から閾値を決定し、部分的な領域の画像入力で閾値を決定出来るようにすることで、処理時間の短縮をはかるものである。
【課題を解決するための手段】
【０００７】
この発明は下記の構成を備えることにより上記課題を解決できるものである。
【０００８】
（１）赤外光を用いて、フィルムのゴミ傷を検出するものに於いて、赤外光の画像からゴミ傷を判定するに当たって、一方向に関してほぼ全幅に相当する大面積の領域内の分布と、各小部分領域内の分布の両方から、各小部分の判定レベルを決定することを特徴とするフィルムスキャナーのゴミ検出装置。
【発明の効果】
【０００９】
本発明によれば、小面積での輝度分布状況と大面積での輝度分布状況を考慮することで、的確なゴミ傷判定のための閾値が決定できる。
【００１０】
加えて大面積を取得済み小面積の積算とする事で、先行した入力部分から閾値決定やゴミ傷処理を行うことが可能で、スループットがあげられる。
【発明を実施するための最良の形態】
【００１１】
以下本発明を実施するための最良の形態を、実施例により詳しく説明する。
【実施例】
【００１２】
図１は本発明の構成図で、１のフィルム原稿を撮像するように構成したもので、２の可視光源からの光で可視情報を入力する３のラインセンサーと、４の赤外光源からの光で赤外情報を入力する５のラインセンサーを有し、不図示の機構により１の原稿を矢印方向に移動させて、行毎の情報を副走査方向毎に取得して面の画像情報とするものである。
【００１３】
図２は、画面情報の配置を示し、主走査方向の情報を副走査方向毎に得ることで、面の画像情報としている。
【００１４】
図１の様にして取得した赤外画面情報の輝度分布から閾値を決定し、赤外画面情報を２値のゴミ傷情報に変換し、該当個所に相当する可視画面情報を周囲の非ゴミ傷箇所の可視情報から補間演算することで、可視画面情報のゴミ傷を除去するように構成している。
【００１５】
説明上、主走査ｘを１〜２０４８、副走査ｙを１〜３０７２として、説明する。
【００１６】
一般的には、この全画面２，０４８＊３，０７２＝６，２９１，４５６画素の赤外輝度分布から、平均以下の２〜３シグマを下回るレベルを閾値とすれば、ランダムで一般的なゴミ傷はそれ以下のレベルを示す事で判別できる。ところが可視画像が平坦な部分では細かな傷が目立つ傾向に在るので、この様な場合にはゴミ傷と判定する閾値を上げ、よりゴミ傷と判定しやすくする必要がある。
【００１７】
このため、本発明では、６４＊６４の小面積での赤外輝度分布も、３２＊４８カ所についてタイル状に演算し、この小面積領域の閾値については、全面積での閾値と小面積での閾値の高い方を閾値として、平坦な部分でよりゴミ傷と判断するようにしている。
【００１８】
無論このままでは、フィルム色素の分光分布により、赤い被写体などの場合に発色する赤〜赤外に分光濃度を持つ色素などにより、赤外光に於いてもゴミと見まがう箇所が存在する場合がある。この様な場合の影響を排除する為、全画面での閾値を下回り、既にゴミらしいと判断された画素については、小部分での閾値決定に関与させなくする必要があり、小部分での分布を算出する場合の分布には計上しない配慮を行って、写り込みを排除するように構成している。
【００１９】
このことで、大きな写り込みを排除して、画面の目立ちやすい場合に応じた閾値を採用する事でゴミ傷を目立たなくしている。
【００２０】
この方法は優れているが、複数の分布を演算する必要があり、加えて大面積の分布は全画面としているため全画面の入力が終了するまで閾値が決定できない欠点がある。
【００２１】
また、ゴミ傷がｘ方向の全長や全幅も大きいことは考えにくく、実質的に早期に閾値が決定できる改良方法を説明する。
【００２２】
図３はこの実施例で、主走査２０４８、副走査方向１２８行を大面積の単位とした方法である。
【００２３】
小面積の単位は６４＊６４で同じであるが、大面積として複数段の小面積を含み、主走査方向は全域とすることで、３０７２行の入力を待たずに１２８行で２段分の閾値決定が行え、画像入力時間を待たずに処理が開始でき、スループットの向上が可能になる。
【００２４】
この場合は、全画面の場合に比べ１２８行毎に行ったため、大面積で決定される閾値が１２８行毎に大きく異なる危険性を持っているともいえる。
【００２５】
その改良としては、大面積を１２８行以上の取得済み行とする事で、徐々に閾値を全画面の場合と同じようにする事が可能で、その際厳密には画面上下で閾値差が存在する可能性は残るが、ゴミ傷の判定には影響がない。
【００２６】
また、いずれの場合も、大面積と小面積の赤外分布算出に於いて、輝度の総和と輝度＾２の総和を演算するため、「たとえば２段分の大面積の総和は、構成するタイル状小面積での各総和を６４個加えたものと同じ」と言うように、小面積部分の演算途中結果を大面積の演算に流用でき、積和計算を複数回行う必要がないと言う特徴がある。詳細に言えば、大面積での閾値によって、小部分の閾値計算に計上する画素と非計上な画素が在る為、その部分の計算を考慮する必要があるが、いずれにしても計算に重複部分がある為プログラム的に簡略化が出来る事は言うまでもない。
【００２７】
また、輝度のヒストグラムを算出してから分布を演算する場合は、小面積の分布計算に於いて大面積分布で決定される閾値以下を排他するような処理が容易になる事は言うまでもない。
【００２８】
なお、説明上の数値は例として示したもので、発明の数値限定では無い。
【００２９】
処理装置の都合で全画面を複数の処理回路で分担することも良い方法で、全画面を４個の処理回路で分担したりする場合もあるが、本発明の趣旨は小面積と複数段相当の大面積にあって、何ら変わるものではない。
【図面の簡単な説明】
【００３０】
【図１】本発明の構成図
【図２】画面情報の配置図
【図３】画面情報の入力毎区分の配置図
【符号の説明】
【００３１】
１  原稿
２，４  光源
３，５  ラインセンサー
【図１】
2006303880.tif 000003
【図２】
2006303880.tif 000004
【図３】
2006303880.tif 000005